(57)【要約】  本発明は、定格温度Ｔｎｅｎｎに加熱したい洗剤溶液による少なくとも１回のパートプログラムステップ、たとえば「本洗い」（Ｒ）を備えた食器洗浄機を運転するための方法であって、この場合、前記パートプログラムステップで加熱手段によって加熱された空気を、可逆的に脱水可能な材料の脱着のために、食器洗浄機の洗浄庫および／または周辺空気から、可逆的に脱水可能な材料を含んだ収着カラムを通して洗浄庫内に洗剤溶液および／または洗浄物の加熱のために案内して、食器洗浄機を運転するための方法に関する。本発明によれば、加熱手段を、可逆的に脱水可能な材料の脱着された状態の達成後、洗剤溶液の定格温度が達成されるまで引き続き運転することが提案されている。
2008522688.tif 000002
【特許請求の範囲】
【請求項１】
定格温度に加熱したい洗剤溶液による少なくとも１回のパートプログラムステップ、たとえば「本洗い」（Ｒ）を備えた食器洗浄機を運転するための方法であって、この場合、前記パートプログラムステップで加熱手段によって加熱された空気を、可逆的に脱水可能な材料の脱着のために、食器洗浄機の洗浄庫および／または周辺空気から、可逆的に脱水可能な材料を含んだ収着カラムを通して洗浄庫内に洗剤溶液および／または洗浄物の加熱のために案内して、食器洗浄機を運転するための方法において、加熱手段を、可逆的に脱水可能な材料の脱着された状態の達成後、洗剤溶液の定格温度が達成されるまで引き続き運転することを特徴とする、食器洗浄機を運転するための方法。
【請求項２】
脱着された湿分を洗浄庫に供給する、請求項１記載の方法。
【請求項３】
可逆的に脱水可能な材料の脱着された状態の達成前にかつ／または達成後に、付加的な加熱手段を洗剤溶液の加熱のために運転する、請求項１または２記載の方法。
【請求項４】
付加的な加熱手段が、洗剤溶液の循環路内に配置されていて、洗剤溶液を直接加熱する、請求項１から３までのいずれか１項記載の方法。
【請求項５】
空気の通過案内を、可変の回転数によって運転可能なブロワによって行い、この場合、該ブロワの回転数が、前記パートプログラムステップの所望の期間に相応して規定されている、請求項１から４までのいずれか１項記載の方法。
【請求項６】
食器洗浄機であって、洗浄庫と、洗浄物を洗剤溶液によって洗浄するための装置と、収着乾燥装置とが設けられており、該収着乾燥装置が、洗浄庫に空気案内式に接続された、可逆的に脱水可能な材料を含有した収着カラムを有しており、該収着カラムが、１つには、食器を乾燥させるために使用されるようになっており、もう１つには、収着カラムの脱着のために使用される熱エネルギが、洗浄庫内に位置する洗剤溶液および／または洗浄物を加熱するために使用されるようになっている形式のものにおいて、所定の各パートプログラムステップで必要となる定格温度への洗剤溶液の加熱が、収着乾燥装置によって実施可能であることを特徴とする、食器洗浄機。
【請求項７】
洗浄庫からの空気および／または周辺空気が、加熱したい洗剤溶液によるパートプログラムステップの間、有利にはパートプログラムステップ「本洗い」（Ｒ）および／または「予洗い」（Ｖ）および／または「仕上げ濯ぎ」（Ｋ）の間に収着カラムを通って洗浄庫内に案内されるようになっている、請求項６記載の食器洗浄機。
【請求項８】
洗浄庫が、収着カラムへの管路を備えた出口を有しており、管路が、有利には遮断弁と、流れ方向で見て、次いで、有利には周辺空気に対する入口弁とを有しており、洗浄庫が、収着カラムからの管路を備えた入口を有しており、収着カラムへの管路内にブロワが配置されており、該ブロワが、洗浄庫内の空気または収着カラムの周辺空気からの空気の少なくとも一部を少なくとも一時的に導入するようになっている、請求項６または７記載の食器洗浄機。
【請求項９】
可逆的に脱水可能な材料の脱着および洗剤溶液および／または洗浄物の加熱のために、電気的な加熱手段が配置されている、請求項６から８までのいずれか１項記載の食器洗浄機。
【請求項１０】
加熱手段が、可逆的に脱水可能な材料内にまたは収着カラムへの管路内に配置されている、請求項９記載の食器洗浄機。
【請求項１１】
収着乾燥装置のブロワが、当該食器洗浄機の主制御ユニットによって回転数制御可能に形成されている、請求項８記載の食器洗浄機。
【請求項１２】
ブロワの回転数が、無段式にまたは複数の段で当該食器洗浄機の操作エレメントによって選択可能である、請求項１１記載の食器洗浄機。
【請求項１３】
請求項１から５までのいずれか１項記載の方法が実施可能である、請求項６から１２までのいずれか１項記載の食器洗浄機。
【発明の詳細な説明】
【技術分野】
【０００１】
本発明は、定格温度に加熱したい洗剤溶液による少なくとも１回のパートプログラムステップ、たとえば「本洗い」を備えた食器洗浄機を運転するための方法であって、この場合、前記パートプログラムステップで加熱手段によって加熱された空気を、可逆的に脱水可能な材料の脱着のために、食器洗浄機の洗浄庫および／または周辺空気から、可逆的に脱水可能な材料を含んだ収着カラムを通して洗浄庫内に洗剤溶液および／または洗浄物の加熱のために案内して、食器洗浄機を運転するための方法に関する。
【０００２】
さらに、本発明は、食器洗浄機であって、洗浄庫と、洗浄物を洗剤溶液によって洗浄するための装置と、収着乾燥装置とが設けられており、該収着乾燥装置が、洗浄庫に空気案内式に接続された、可逆的に脱水可能な材料を含有した収着カラムを有しており、該収着カラムが、１つには、食器を乾燥させるために使用されるようになっており、もう１つには、収着カラムの脱着のために使用される熱エネルギが、洗浄庫内に位置する洗剤溶液および／または洗浄物を加熱するために使用されるようになっている形式のものに関する。
【０００３】
慣用の食器洗浄機は、知られているように、一般的に少なくとも１回のパートプログラムステップ「予洗い」と、１回のパートプログラムステップ「本洗い」と、少なくとも１回のパートプログラムステップ「濯ぎ」と、１回のパートプログラムステップ「仕上げ濯ぎ」と、１回のパートプログラムステップ「乾燥」とから成るプログラム実行を備えた洗浄法を有している。この場合、洗浄効果を高めるためには、洗剤溶液（本洗い時に使用される本洗い用洗剤溶液および仕上げ濯ぎ時に使用される仕上げ濯ぎ用洗剤溶液）が所定のパートプログラムステップの前にまたは所定のパートプログラムステップの間に加熱される。洗剤溶液の加熱は、通常、電気的な加熱手段によって行われる。食器洗浄機内の洗浄物を乾燥させるためには、種々異なる乾燥システムが知られている。
【０００４】
したがって、ドイツ連邦共和国特許出願公開第２０１６８３１号明細書に基づき、冒頭で述べた形式の食器洗浄機が公知である。この公知の食器洗浄機では、洗浄庫からの空気が、この洗浄庫の壁に設けられた閉鎖可能な開口を介して、可逆的に脱水可能な材料に案内され、そこから１つの開口を介して外方に案内される。可逆的に脱水可能な材料の脱着は、食器洗浄機の停止段階の間に行われる。この場合、その際に生ぜしめられた水蒸気が開口を介して外方に案内される。記載された食器洗浄機は、エネルギ的な観点から不利である。なぜならば、可逆的に脱水可能な材料の再生が食器洗浄機の停止段階の間ひいては冒頭に記載したパートプログラムステップのいずれも実施されない時点に行われるからである。さらなる欠点は、可逆的に脱水可能な材料の再生の間に生ぜしめられた水蒸気の外方への導出によって、周辺の台所家具の損害を排除することができないことにある。この場合、再生は付加的なエネルギ要求に結び付けられている。このエネルギ要求は、パートプログラムステップの間に必要となるエネルギ要求に対して付加的に生ぜしめられる。
【０００５】
食器洗浄機の運転時のエネルギ消費を可能な限り僅かに保つために、当該出願人のドイツ連邦共和国特許出願第１０３５３７７４．０号明細書に基づき、洗浄庫と、食器を洗剤溶液によって洗浄するための装置とを備えた食器洗浄機が公知である。この公知の食器洗浄機は、洗浄庫に空気案内式に接続された、可逆的に脱水可能な材料を含有した収着カラムを有している。この場合、この収着カラムは、１つには、食器を乾燥させるために少なくとも部分的に使用され、もう１つには、収着カラムの脱着のために使用される熱エネルギが、洗浄庫内に位置する洗剤溶液および／または食器を加熱するために少なくとも部分的に使用される。
【０００６】
同じ問題を解決するために、当該出願人のドイツ連邦共和国特許出願第１０３５３７７５．９号明細書は、食器洗浄機を少なくとも１回のパートプログラムステップ「乾燥」で運転するために、洗浄庫からの空気および／または周辺空気からの空気を収着カラムを通して洗浄庫内に案内することを提案している。この場合、収着カラムは、可逆的に脱水可能な材料を含有していて、空気から通過案内の間に湿分を奪取する。
【０００７】
吸湿性の特性を備えた可逆的に脱水可能な材料、たとえばゼオライトの使用によって、パートプログラムステップ「乾燥」に先行するパートプログラムステップでの処理したい物品の加熱が通常もはや不要となる。これによって、かなりのエネルギ節約が可能になる。
【０００８】
欧州特許第０３５８２７９号明細書に基づき、家庭用食器洗浄機内で食器を乾燥させるための装置が公知である。この公知の装置では、洗剤溶液が、洗浄庫の外部に配置されたヒータ、有利には電気的なフロースルーヒータによって加熱される。この場合、ほぼ閉じられた乾燥システムが設けられている。この乾燥システムでは、洗浄庫からの空気が、加熱によって再生可能な乾燥装置を介して、この乾燥装置から洗浄庫内に戻るように循環する。この場合、乾燥装置は、ヒータに熱接触する乾燥容器を有している。この乾燥容器は、湿分を吸着する乾燥媒体で充填されている。乾燥容器と、洗剤溶液の加熱のために元々存在するヒータとの接続によって、洗浄過程の実行後に乾燥装置の即座の運転準備が生ぜしめられる。この場合、乾燥媒体は少なくとも部分的に周壁としてヒータの加熱エレメントを取り囲んで設けられ、これによって、乾燥容器内の乾燥媒体を各加熱過程の間に加熱することができ、これによって、乾燥させることができる。
【０００９】
乾燥容器は二重壁の中空シリンダとして成形されている。この中空シリンダ内には、乾燥材料が蓄えられている。閉じられた空気システムに接続するための入口開口および出口開口の配置は、対角線方向で互いに反対の側に位置する配置で行われる。ここから、比較的高い流れ抵抗の欠点が生ぜしめられ、これによって、空気流の圧送のために設けられたブロワが極めて高い出力で運転されなければならない。このことは、騒音発生およびエネルギ消費に関して不利であると分かる。
【００１０】
乾燥材料への不均質の熱導入を生ぜしめる収着乾燥装置の設計上の構成に基づき、脱着は時間手間を要し、さらに、乾燥媒体の局所的な過熱ひいては乾燥媒体の不可逆的な損害に繋がり得る。また、脱着は、ヒータが二重壁の中空シリンダの中心に配置されていて、外側の中空シリンダ壁の近くに設けられた乾燥媒体への熱の半径方向の拡がりが、軸方向に通流する空気流に基づきほとんど不可能であるので困難である。
【００１１】
したがって、本発明の課題は、複数のパートプログラムステップを備えた洗浄プログラムの期間の短縮が可能となる、食器洗浄機を運転するための方法および食器洗浄機、特に家庭用食器洗浄機を提供することである。
【００１２】
この課題を解決するために本発明の方法では、加熱手段を、可逆的に脱水可能な材料の脱着された状態の達成後、洗剤溶液の定格温度が達成されるまで引き続き運転するようにした。
【００１３】
本発明の有利な実施態様によれば、脱着された湿分を洗浄庫に供給する。
【００１４】
本発明の有利な実施態様によれば、可逆的に脱水可能な材料の脱着された状態の達成前にかつ／または達成後に、付加的な加熱手段を洗剤溶液の加熱のために運転する。
【００１５】
本発明の有利な実施態様によれば、付加的な加熱手段が、洗剤溶液の循環路内に配置されていて、洗剤溶液を直接加熱する。
【００１６】
本発明の有利な実施態様によれば、空気の通過案内を、可変の回転数によって運転可能なブロワによって行い、この場合、該ブロワの回転数が、前記パートプログラムステップの所望の期間に相応して規定されている。
【００１７】
前述した課題を解決するために本発明の構成では、所定の各パートプログラムステップで必要となる定格温度への洗剤溶液の加熱が、収着乾燥装置によって実施可能であるようにした。
【００１８】
本発明の有利な構成によれば、洗浄庫からの空気および／または周辺空気が、加熱したい洗剤溶液によるパートプログラムステップの間、有利にはパートプログラムステップ「本洗い」および／または「予洗い」および／または「仕上げ濯ぎ」の間に収着カラムを通って洗浄庫内に案内されるようになっている。
【００１９】
本発明の有利な構成によれば、洗浄庫が、収着カラムへの管路を備えた出口を有しており、管路が、有利には遮断弁と、流れ方向で見て、次いで、有利には周辺空気に対する入口弁とを有しており、洗浄庫が、収着カラムからの管路を備えた入口を有しており、収着カラムへの管路内にブロワが配置されており、該ブロワが、洗浄庫内の空気または収着カラムの周辺空気からの空気の少なくとも一部を少なくとも一時的に導入するようになっている。
【００２０】
本発明の有利な構成によれば、可逆的に脱水可能な材料の脱着および洗剤溶液および／または洗浄物の加熱のために、電気的な加熱手段が配置されている。
【００２１】
本発明の有利な構成によれば、加熱手段が、可逆的に脱水可能な材料内にまたは収着カラムへの管路内に配置されている。
【００２２】
本発明の有利な構成によれば、収着乾燥装置のブロワが、当該食器洗浄機の主制御ユニットによって回転数制御可能に形成されている。
【００２３】
本発明の有利な構成によれば、ブロワの回転数が、無段式にまたは複数の段で当該食器洗浄機の操作エレメントによって選択可能である。
【００２４】
本発明の有利な構成によれば、前述した方法が実施可能である。
【００２５】
本発明によれば、定格温度に加熱したい洗剤溶液による少なくとも１回のパートプログラムステップ、たとえば「本洗い」を備えた食器洗浄機、特に家庭用食器洗浄機を運転するための方法であって、この場合、前記パートプログラムステップで加熱手段によって加熱された空気を、可逆的に脱水可能な材料の脱着のために、食器洗浄機の洗浄庫および／または周辺空気から、可逆的に脱水可能な材料を含んだ収着カラムを通して洗浄庫内に洗剤溶液および／または洗浄物の加熱のために案内して、食器洗浄機を運転するための方法において、加熱手段が、可逆的に脱水可能な材料の脱着された状態の達成後、洗剤溶液の定格温度が達成されるまで引き続き運転される。
【００２６】
可逆的に脱水可能な材料の脱着された状態という概念は、本発明では、可逆的に脱水可能な材料が完全にまたはほぼ完全に脱湿されていることと解される。
【００２７】
言い換えるならば、これは、洗剤溶液の加熱が、従来形成された（水）加熱手段によって行われるのではなく、脱着のために使用されるエネルギが、加熱したい洗剤溶液によるパートプログラムステップの間、洗剤溶液の加熱のために使用されることを意味している。しかし、通常、脱着は、すでに洗剤溶液がまだ所要の定格温度にもたらされていない時点で完全に終了されている。したがって、本発明は、脱着のために使用される（空気）加熱手段を引き続き運転することを提案しており、これによって、収着乾燥装置内で空気が加熱され、洗浄庫に供給される。この洗浄庫内への高温の空気の導入によって、洗剤溶液の定格温度が達成されるまで、洗剤溶液および／または処理したい洗浄物が引き続き加熱される。脱着過程の間、収着乾燥装置、より正確には、収着カラムに極めて高い温度が達成されるので、洗剤溶液の極めて迅速な加熱が生ぜしめられる。
【００２８】
有利な実施態様によれば、脱着された湿分が洗浄庫に供給される。加熱したい洗剤溶液によるパートプログラムステップの間に行われる脱着過程の間、可逆的に脱水可能な材料が脱着のために極めて高い温度に加熱される。この場合、蓄えられた液体が高温の水蒸気として流出する。運転中にあるブロワに基づき、水蒸気が食器洗浄機の洗浄庫内に案内される。これによって、洗浄庫内の空気も加熱される。この洗浄庫内への高温の水蒸気および加熱された空気の導入は、洗剤溶液および／または食器を所定の温度に加熱するために十分であり、これによって、定格温度までの差が収着乾燥装置の継続運転によって発生可能となる。
【００２９】
別の有利な実施態様では、可逆的に脱水可能な材料の脱着された状態の達成前にかつ／または達成後に、付加的な加熱手段を洗剤溶液の加熱のために運転することが提案されていてもよい。これによって、加熱時間の短縮ひいては加熱したい洗剤溶液によるパートプログラムステップの期間の減少が得られる。
【００３０】
付加的な加熱手段が、洗剤溶液の循環路内に配置されていて、洗剤溶液を直接加熱すると有利である。言い換えるならば、これは、付加的な加熱手段が水加熱手段として形成されていることを意味している。しかし、この水加熱手段は、たとえば欧州特許第０３５８２７９号明細書に記載されているような古典的な加熱手段に比べて極めて著しく小さく寸法設定することができる。付加的な加熱手段は、択一的には、収着乾燥装置の循環路に設けられた空気加熱手段として形成されていてもよい。
【００３１】
別の有利な実施態様では、空気の通過案内が、可変の回転数によって運転可能なブロワによって行われ、この場合、このブロワの回転数が、前記パートプログラムステップの所望の期間に相応して規定されている。この有利な実施態様によれば、食器洗浄機を、加熱したい洗剤溶液によるパートプログラムステップの間、コンスタントで僅かなひいては騒音最適化された回転数で運転することができる。他方では、制御されるブロワの回転数を上昇させ、これによって、洗剤溶液の加熱過程が加速化されることが可能となる。このように時間減少させられた洗浄プログラムは、この事例では、高められた運転騒音を随伴する。したがって、ブロワの回転数が、複数の段で食器洗浄機の操作エレメントによって選択可能であると有利である。言い換えるならば、食器洗浄機の操作エレメントに、能動的に「急速洗浄プログラム」を選択することを使用者に許容する機能が設けられていてよい。この場合、使用者は、騒音発生が高められることを能動的に決断している。
【００３２】
本発明による食器洗浄機は、上述した方法に相俟って説明した利点と同じ利点を有している。
【００３３】
本発明によれば、食器洗浄機、特に家庭用食器洗浄機であって、洗浄庫と、洗浄物を洗剤溶液によって洗浄するための装置と、収着乾燥装置とが設けられており、この収着乾燥装置が、洗浄庫に空気案内式に接続された、可逆的に脱水可能な材料を含有した収着カラムを有しており、この収着カラムが、１つには、食器を乾燥させるために使用され、もう１つには、収着カラムの脱着のために使用される熱エネルギが、洗浄庫内に位置する洗剤溶液および／または洗浄物を加熱するために使用される形式のものにおいて、所定の各パートプログラムステップで必要となる定格温度への洗剤溶液の加熱が、収着乾燥装置によって実施可能である。
【００３４】
１つの利点は、このような形式の食器洗浄機に対して、極めて簡単な設計上の構造が得られることにある。なぜならば、古典的な（水）加熱手段の省略が可能となるからである。食器洗浄機は、当該出願人のドイツ連邦共和国特許出願第１０３５３７７４号明細書および／またはドイツ連邦共和国特許出願公開第１０３５３７７５号明細書に記載されているような原理から形成されていてよい。当該刊行物の内容は、有利である限り、本出願に取り込まれる。ここに記載された機械はその制御および収着乾燥装置の運転および／または収着乾燥装置の構成要素の構成の点で異なっている。なぜならば、洗浄液の定格温度が達成されるまで、収着乾燥装置が収着カラムの純粋な脱水を越えて引き続き運転されるからである。したがって、本発明による食器洗浄機では、主制御が、所望の運転を得るために変化させられており、かつ／または加熱手段の出力と、ブロワの出力と、たとえば幾何学的な構成に関して、収着カラムの体積とが互いに調和されており、これによって、加熱手段とブロワとのただ１回の運転によって、洗剤溶液の温度のさらなる上昇が可能となる。
【００３５】
有利な特徴によれば、洗浄庫からの空気および／または周辺空気からの空気が、加熱したい洗剤溶液によるパートプログラムステップの間、有利にはパートプログラムステップ「本洗い」および／または「予洗い」および／または「仕上げ濯ぎ」の間に収着カラムを通って洗浄庫内に案内される。
【００３６】
別の有利な特徴によれば、洗浄庫が、収着カラムへの管路を備えた出口を有しており、管路が、有利には遮断弁と、流れ方向で見て、次いで、有利には周辺空気に対する入口弁とを有しており、洗浄庫が、収着カラムからの管路を備えた入口を有しており、収着カラムへの管路内にブロワが配置されており、このブロワが、洗浄庫内の空気または収着カラムの周辺空気からの空気の少なくとも一部を少なくとも一時的に導入する。有利には閉じられた空気システムでは、周辺からの汚染された空気の交換が完全に排除されている。これによって、処理された洗浄物の再汚染が阻止される。ブロワは容易に制御することができ、これによって、収着カラムの使用を精密に制御することができる。
【００３７】
可逆的に脱水可能な材料の脱着および洗剤溶液および／または洗浄物の加熱のために、電気的な加熱手段が配置されていると有利である。この加熱手段が、可逆的に脱水可能な材料内にまたは収着カラムへの管路内に配置されていると有利である。
【００３８】
さらに、収着乾燥装置のブロワが、当該食器洗浄機の主制御ユニットによって回転数制御可能に形成されていると有利であり、これによって、洗剤溶液および／または洗浄物の温度の加熱の速度を制御することができる。この場合、ブロワの回転数が、無段式にまたは複数の段で食器洗浄機の操作エレメントによって選択可能であると有利である。
【００３９】
以下に、本発明を食器洗浄機における方法の図示の実施例につき詳しく説明する。
【００４０】
定格温度に加熱したい洗剤溶液による少なくとも１回のパートプログラムステップおよび／または少なくとも１回のパートプログラムステップ「乾燥」とを備えた食器洗浄機を運転するための本発明による方法は、説明した実施例では、当該出願人のドイツ連邦共和国特許出願公開第１０３５３７７４号明細書および／またはドイツ連邦共和国特許出願公開第１０３５３７７５号明細書に記載されているように概略的に形成された食器洗浄機で実施される。食器洗浄機は、知られているように、一般的に少なくとも１回のパートプログラムステップ「予洗い」Ｖと、１回のパートプログラムステップ「本洗い」Ｒと、少なくとも１回のパートプログラムステップ「濯ぎ」Ｚと、１回のパートプログラムステップ「仕上げ濯ぎ」Ｋと、１回のパートプログラムステップ「乾燥」Ｔとから成るプログラム実行を備えた洗浄法を有している。有利には、乾燥は、本実施例では、ドイツ連邦共和国特許出願公開第１０３５３７７４号明細書および／またはドイツ連邦共和国特許出願公開第１０３５３７７５号明細書に記載されているように実施される。当該刊行物の内容は、有利である限り、本出願に取り込まれる。この場合、図１には、これらのパートプログラムステップの間の洗剤溶液の一般的な温度経過が示してある。この場合、図１には、慣用の食器洗浄機における運転だけでなく、本発明による方法による運転も示してある。
【００４１】
パートプログラムステップ「予洗い」Ｖおよび「濯ぎ」Ｚは、本発明による方法に対して二義的であるので、両パートプログラムステップに関しては以下の記載において詳しく考慮しないことにする。パートプログラムステップ「本洗い」Ｒの開始によって、洗剤溶液が、通常、定格温度Ｔｎｅｎｎに加熱され、これによって、所望の洗浄作用が得られる。公知先行技術ですでに公知であるような収着乾燥装置を備えたエネルギ最適化された食器洗浄機では、脱着、すなわち、可逆的に脱水可能な材料の加熱が、同じくパートプログラムステップ「本洗い」Ｒの間に行われる。ドイツ連邦共和国特許出願公開第１０３５３７７４号明細書および／またはドイツ連邦共和国特許出願公開第１０３５３７７５号明細書の内容は、有利である限り、本出願に取り込まれる。
【００４２】
洗剤溶液を加熱するために、いま、本発明によれば、この洗剤溶液が水加熱手段によって直接加熱されるのではなく、脱着のために必要となるエネルギが使用される。このためには、収着乾燥装置内に配置された（空気）加熱手段が運転される。この（空気）加熱手段は、可逆的に脱水可能な材料、たとえばゼオライトを高い温度に加熱する。可逆的に脱水可能な材料の脱着の間、たとえば出口を備えた洗浄庫からの空気が収着カラムを通って、その後、入口を介して洗浄庫内に戻し案内される。この場合、空気が通過案内の間に加熱手段によって加熱される。この場合、ブロワによって、空気が洗浄庫から吸い込まれ、収着カラムを通って吐き出される。この収着カラムから流出する高温の水蒸気と、いま加熱された空気とが、すでに上述した入口を通って洗浄庫内に流入し、そこで、循環される処理溶液もしくは洗剤溶液および／または食器に衝突する。この場合、この処理溶液もしくは洗剤溶液および／または食器が加熱される。
【００４３】
通常、収着乾燥装置は、可逆的に脱水可能な材料が完全に脱着されている、すなわち、脱湿されている点までしか運転されない（図１における区分Ａ参照）。図１に示した実施例では、この状態は、洗剤溶液および／または処理したい物品が温度ＴＤｅｓに到達した時点ｔａで達成されている。この温度は、通常、獲得したい定格温度Ｔｎｅｎｎを下回っている。この温度差を橋渡しするために、いま、本発明によれば、循環される洗剤溶液および／または処理したい物品が所望の定格温度に到達するまで、収着乾燥装置の加熱手段とブロワとが引き続き運転され、高温の空気が洗浄庫内に圧送される（区分Ｂ参照）。この状態は、収着乾燥装置の適宜な設定、特に加熱手段の出力、ブロワの回転数および収着カラムの配置形式ならびにジオメトリにおいて時点ｔｂで達成される。
【００４４】
本発明による方法によって、完全に水加熱手段を省略することができる食器洗浄機の提供が可能となる。全パートプログラムステップでの洗剤溶液の加熱は、有利には、収着乾燥装置の、構造的に極めて簡単なひいては廉価に製作することができる空気加熱手段によって行われる。
【００４５】
パートプログラムステップ「本洗い」Ｒをより迅速に実施することができるようにする、すなわち、所望の定格温度Ｔｎｅｎｎをより迅速に達成することができるようにするために、本発明の別の構成によれば、付加的な加熱手段が設けられていてよい。この付加的な加熱手段は区分Ａの間にかつ／または温度をＴＤｅｓからＴｎｅｎｎに上昇させるための区分の間に運転され、これによって、定格温度Ｔｎｅｎｎがすでに時点ｔｃで達成されている（区分Ｃ参照）。付加的な加熱手段は、選択的には、水加熱手段、たとえばフロースルーヒータとして形成されていてもよいし、空気循環路内に挿入された空気加熱手段として形成されていてもよい。両事例では、付加的な加熱手段は、ＴＤｅｓとＴｎｅｎｎとの間の不足の温度差を橋渡しすることができるより僅かな加熱出力が提供されさえすればよいように設計されてよい。定格温度Ｔｎｅｎｎへの到達の時点（本実施例ではｔｂまたはｔｃ）と無関係に洗剤溶液の加熱段階が終了され、これに続いて、処理温度がパートプログラムステップ「本洗い」Ｒの終了まで低下するという事実は、図面から明らかでないものの、当業者には難なく認識されている。処理温度の低下と、この低下の期間とがどのくらい著しいかは、実施される洗浄プログラムの方式と、食器洗浄機の断熱特性とに関連している。
【００４６】
別の実施態様によれば、収着乾燥装置のブロワの回転数をパートプログラムステップ「本洗い」Ｒの間に上昇させ、これによって、定格温度Ｔｎｅｎｎに到達するまでの時間のさらなる減少を得ることが提案されていてもよい。これは、食器洗浄機の使用者に対して、たとえば操作エレメントを介して予め選択可能に実施されていてもよい。
【００４７】
洗浄物の乾燥は、慣用の食器洗浄機では、いわゆる「自熱乾燥」によってパートプログラムステップ「仕上げ濯ぎ」および「乾燥」で実施される（区分１参照）。この場合、洗剤溶液がパートプログラムステップ「仕上げ濯ぎ」で加熱される。これによって、高温で仕上げ濯ぎされた洗浄物が、この洗浄物の、このように形成された自熱によって乾燥過程の間に自動的に乾燥する。したがって、この自熱乾燥を達成するためには、洗剤溶液がパートプログラムステップ「仕上げ濯ぎ」で温度ＴＫに加熱され、スプレー装置を介して洗浄物に供給される。通常６５℃〜７５℃のパートプログラムステップ「仕上げ濯ぎ」での洗剤溶液の比較的高い温度によって、十分に大きな熱量が洗浄物に伝達され、これによって、この洗浄物に付着した水が、この洗浄物に蓄えられた熱によって蒸発することが達成される。
【００４８】
著しいエネルギ節約は収着乾燥装置によって生ぜしめられる。なぜならば、この収着乾燥装置では、パートプログラムステップ「仕上げ濯ぎ」Ｋでの洗剤溶液の加熱が基本的には不要となる（区分２参照）ものの、小規模に行われよい（区分３参照）からである。乾燥は、パートプログラムステップ「乾燥」において、洗浄庫からの空気および／または周辺空気からの空気が収着カラムを通って洗浄庫内に案内されることによって実現される。この場合、可逆的に脱水可能な材料を含有した収着カラムが空気から通過案内の間に湿分を奪取する。吸湿性の特性を備えた可逆的に脱水可能な材料、たとえばゼオライトの使用によって、パートプログラムステップ「乾燥」に先行するパートプログラムステップでの処理したい物品の加熱が通常では不要となる（区分２参照）ものの、低い温度への加熱、たとえば３０℃までの加熱が「仕上げ濯ぎ」でさらに行われてよい（区分３参照）。水蒸気の凝縮熱が自由になる収着カラムによる空気の加熱によって、この空気の湿分吸収容量が、収着カラムを通る各通過時に高められる。このことは、乾燥結果の改善および乾燥時間の短縮に繋がる。収着カラムによる加熱以上のパートプログラムステップ「乾燥」での補足的な加熱手段による空気の付加的な加熱ひいては、たとえば食器洗浄機での食器の付加的な加熱も通常不要となる。なぜならば、収着カラムで自由になる熱エネルギが、空気を高い温度、たとえば７０℃に加熱するために十分となるからである。収着カラム自体は、凝縮熱によって最大、たとえば１６０℃の温度に加熱される。
【００４９】
慣用の食器洗浄機では時間プログラム制御を介して行われ、時点ｔ１にまで続く乾燥過程の加速化は、無段式にまたは複数の段で回転数制御されるブロワを収着乾燥装置に設けることによって実現することができる。回転数の上昇によって、吸着過程が加速化される。このことは、乾燥時間の短縮に繋がる。
【００５０】
パートプログラムステップ「仕上げ濯ぎ」の間の温度の上昇が省略されると、乾燥をすでに時点ｔ２（区分２）で終了することができる。乾燥時間のさらなる短縮は、仕上げ濯ぎ温度の、前述したように行われた加熱（区分３）によって得られる。これによって、乾燥を時点ｔ３で終了することができる。この場合、乾燥させたい洗浄物の乾燥効果もしくは乾燥度が全て３つの実施態様で同一であることから出発しなければならない。
【００５１】
収着乾燥装置のブロワの回転数の上昇は、高められた騒音放射を随伴するので、この運転モードを食器洗浄機の使用者によって能動的に行わせることが有利である。このことは、たとえば相応の操作エレメントを設けることによって行われてもよい。この操作エレメントは食器洗浄機の主制御装置に接続されていて、相応の運転モードを可能にする。
【００５２】
本発明によって、冒頭で述べた形式の食器洗浄機を経済的に運転し、これに結び付けられたエネルギ消費を時間最適化して僅かに保つことが可能となる方法が提供されている。
【図面の簡単な説明】
【００５３】
【図１】公知先行技術による食器洗浄機および本発明による食器洗浄機の種々異なるパートプログラムステップの間の洗剤溶液の温度経過を示す図である。
【図１】
2008522688.tif 000003
【国際調査報告】
2008522688.tif 000004
2008522688.tif 000005
2008522688.tif 000006
2008522688.tif 000007
2008522688.tif 000008
2008522688.tif 000009